(57)【要約】【課題】手動リセット状態と自動リセット状態の間のリセット棒の切り替え操作を、簡単な動作で何度も行なうことができ、誤操作を防止することができる熱動形過負荷継電器を提供する。【解決手段】ケース１にスライド自在なカバー４６を装着する。このカバーは、リセット棒４３の頭部が通過する長穴形状のリセット棒通過窓４６ａを形成している。そして、リセット棒の手動リセット状態及び自動リセット状態では、リセット棒がリセット棒通過窓の長軸方向の一方側に位置し、カバーが調整ダイヤル１１及び動作表示・手動トリップ操作窓４４を覆う。そして、リセット棒の自動リセット状態では、リセット棒の外周に形成した棒係止部４３ｂがリセット棒通過窓の長軸方向の一方側に形成した窓係止部４６ｅと係合することで、リセット棒の押し込み状態が保持される。【選択図】図１２
2010232055.tif 000002
【特許請求の範囲】
【請求項１】
ケース内に、過負荷電流を検知して湾曲変位する主バイメタルと、この主バイメタルに連動するシフタの変位に従動する釈放レバーと、この釈放レバーの回動により反転動作を行なって接点を切り替える接点反転機構と、前記釈放レバー及び前記接点反転機構を操作する操作部とを配置し、前記操作部は、前記接点反転機構を初期状態に復帰させるリセット棒を前記ケース内から外部に突出させて設けており、前記リセット棒を、押し込み自在な手動リセット状態と、この手動リセット状態からの押し回し操作により押し込み状態に保持される自動リセット状態とに切り替えるようにした熱動形過負荷継電器において、
前記ケースに、前記操作部を覆うことが可能なスライド自在なカバーを装着し、このカバーには、前記リセット棒の頭部が通過する長穴形状のリセット棒通過窓が長軸方向を前記カバーのスライド方向に向けて形成されており、
前記手動リセット状態及び前記自動リセット状態では、前記操作部を覆う方向に前記カバーをスライドさせることで前記リセット棒を前記リセット棒通過窓の長軸方向の一方側に位置させるとともに、
前記自動リセット状態では、前記リセット棒の外周に形成した棒係止部と、前記リセット棒通過窓の長軸方向の一方側の周縁に形成した窓係止部とが係合することで、前記リセット棒の押し込み状態が保持されることを特徴とする熱動形過負荷継電器。
【請求項２】
前記リセット棒の外周の前記棒係止部と異なる周方向位置に棒ガイド部が形成されており、
前記手動リセット状態では、前記リセット棒の前記棒ガイド部が前記リセット棒通過窓の窓係止部に係合し、これら棒ガイド部及び窓係止部にガイドされながら前記リセット棒が押し込まれることを特徴とする請求項１記載の熱動形過負荷継電器。
【請求項３】
前記操作部は、前記釈放レバーに係合して整定電流の調整を行なう調整ダイヤルを備え、前記カバーは、前記調整ダイヤルの調整部に対応した大きさのダイヤル窓を形成しており、
前記リセット棒が前記リセット棒通過窓の長軸方向の他方側に位置するように前記カバーをスライドさせると、前記ダイヤル窓が前記調整ダイヤルに対面し、
前記手動リセット状態及び前記自動リセット状態では、スライドした前記カバーにより前記調整部が覆われることを特徴とする請求項１又は２記載の熱動形過負荷継電器。
【請求項４】
前記リセット棒の近傍に、前記接点反転機構を手動で反転させ、且つ当該接点反転機構の動作を確認できる動作表示・手動トリップ操作窓を形成し、
前記リセット棒が前記リセット棒通過窓の長軸方向の他方側に位置するように前記カバーをスライドさせると、当該カバーは前記動作表示・手動トリップ操作窓を覆わず、
前記手動リセット状態及び前記自動リセット状態では、スライドした前記カバーにより前記動作表示・手動トリップ操作窓が覆われることを特徴とする請求項１乃至３の何れか１項に記載の熱動形過負荷継電器。
【請求項５】
前記カバーは、透明な部材で形成されていることを特徴とする請求項１乃至４の何れか１項に記載の熱動形過負荷継電器。
【発明の詳細な説明】
【技術分野】
【０００１】
本発明は、過電流を検知したときに接点の切り替えを行なう熱動形過負荷継電器に係わり、特にトリップ状態、初期状態に復帰させる操作部の改良に関する。
【背景技術】
【０００２】
主回路に流れる過負荷電流を検知して作動する熱動形過負荷継電器として、例えば特許文献１の装置が知られている。
特許文献１の熱動形過負荷継電器を、図１４及び図１５を参照して説明する。
図１４に示すように、樹脂モールド製の絶縁ケース１内に、三相の各電路に挿入され、ヒータ２ａが巻回された主バイメタル２と、これら主バイメタル２の自由端のそれぞれに係合され、絶縁ケース１に移動可能に支承されているシフタ３と、シフタ３の一端に係合可能に絶縁ケース１内に配置された開閉機構４と、開閉機構４の動作により接点の切り替えを行なう接点反転機構５が収納されている。
【０００３】
開閉機構４は、図１５にも示すように、シフタ３の一端に係合する温度補償バイメタル７と、この温度補償バイメタル７の他端が固定されている釈放レバー８と、下端から突出したピン９を介して釈放レバー８に連結し、絶縁ケース１に回転自在に配置した調整ダイヤル１１（偏心カム１１ａの周面）に上端が当接している調整カム１２とを備えている。なお、釈放レバー８の回動角度は、調整ダイヤル１１の調整により、調整ダイヤル１１の偏心カム１１ａの周面に当接する調整カム１２の位置を変化させ、支軸１３回りに微小に回動させることで設定され、このように釈放レバー８の回動角度を設定することで、整定電流の調整が行なわれるようになっている。
【０００４】
接点反転機構５は、釈放レバー８に下端部が固定されて上方に延在している反転ばね１４と、この反転ばね１４の先端部が係合しているとともに、常開側可動接点１５ｂ及び常閉側可動接点１６ａを移動させるスライダ１７と、スライダ１７を定常位置に手動で移動させるリセット棒１８とを備えている。また、接点反転機構５は、前述した常開側可動接点１５ｂ及び常閉側可動接点１６ａと、これらに対向配置された常開側固定接点１５ａ及び常閉側固定接点１６ｂとを備えている。反転ばね１４は、薄板ばね材の打ち抜きにより打ち抜き部１４ａが形成され、打ち抜き部１４ａの周囲に皿ばね形状の湾曲面が形成された部材であり、図１４の定常状態では、反転ばね１４は、右方向に凸状に湾曲している。
【０００５】
上記構成において、過負荷電流によってヒータ２ａが発熱して主バイメタル２が湾曲すると、その自由端の変位によってシフタ３が図１４の符号Ｐの矢印方向に移動する。シフタ３が移動すると、温度補償バイメタル７の自由端が押圧されて釈放レバー８が揺動ピン９回りに反時計方向に回動する。
そして、釈放レバー８の反時計方向の回動が進行すると、反転ばね１４は左方向に凸状に湾曲するように変形し、この反転ばね１４の変形により、反転ばね１４の先端部に係合しているスライダ１７を、常開側可動接点１５ｂ及び常開側固定接点１５ａが閉状態となり、常閉側可動接点１６ａ及び常閉側固定接点１６ｂが開状態となるように移動させる。このような開閉機構４の反転動作により、常開側可動接点１５ｂ及び常開側固定接点１５ａの閉状態、常閉側可動接点１６ａ及び常閉側固定接点１６ｂの開状態の情報を基に、例えば主回路に接続した電磁接触器（不図示）を開極動作させて過負荷電流を遮断する。
【０００６】
熱動形過負荷継電器がトリップ状態となって電磁接触器の通電電流が遮断されると、主バイメタル２は冷却されて初期状態に復帰するが、リセット動作を加えなければ、反転ばね１４が逆方向に（右方向に凸状に湾曲）変形せず、スライダ１７も逆方向に移動せず、接点反転機構５は初期状態に復帰しない。
接点反転機構５を初期状態に復帰するには、リセット棒１８を押し込むことで、反転ばね１４を逆方向に変形し、それに伴いスライダ１７も逆方向に移動させる。
【０００７】
このようなリセット棒を使用した復帰動作は、通常、リセット棒を押し込み操作して接点反転機構５を初期状態に復帰させる手動リセット状態と、リセット棒を押し込んだ状態に保持しておき、主バイメタル２が冷却した後に接点反転機構５を自動的に初期状態に復帰させる自動リセット状態とがあり、それらは切り換え可能になっている。
その場合、リセット棒１８が容易に自動リセット状態に切り換わってしまうと、例えば自己保持回路をとらない電磁接触器では、熱動形過負荷継電器のトリップ状態によりモータが停止しても、主バイメタルが冷却した後にモータが再起動してしまうというような問題が生じる。
【０００８】
この対策として、リセット棒の頭部が貫通するケース窓穴の周縁部に、頭部に係合する爪を設け、リセット棒を手動リセット状態から自動リセット状態に切り換える際には、爪を折り取るようにした技術が知られている
【先行技術文献】
【特許文献】
【０００９】
【特許文献１】特公平７−１６６５号公報
【発明の概要】
【発明が解決しようとする課題】
【００１０】
ところで、上記の技術は、ケース窓穴の周縁部に設けた爪を折り取った後に、手動リセット状態から自動リセット状態にリセット棒の切り換え操作を行なわなければならず、自動リセットを行なうまでの操作が煩雑である。
また、ケース窓穴の周縁部から爪を折り取った後は、手動リセット状態と自動リセット状態の間でリセット棒が容易に切り替わるので、熱動形過負荷継電器の誤操作を招くおそれがある。
【００１１】
そこで、本発明は、上記従来例の未解決の課題に着目してなされたものであり、手動リセット状態と自動リセット状態の間のリセット棒の切り替え操作を、簡単な動作で何度も行なうことができ、誤操作を防止することができる熱動形過負荷継電器を提供することを目的としている。
【課題を解決するための手段】
【００１２】
上記目的を達成するために、本発明に係る熱動形過負荷継電器は、ケース内に、過負荷電流を検知して湾曲変位する主バイメタルと、この主バイメタルに連動するシフタの変位に従動する釈放レバーと、この釈放レバーの回動により反転動作を行なって接点を切り替える接点反転機構と、前記釈放レバー及び前記接点反転機構を操作する操作部とを配置し、前記操作部は、前記接点反転機構を初期状態に復帰させるリセット棒を前記ケース内から外部に突出させて設けており、前記リセット棒を、押し込み自在な手動リセット状態と、この手動リセット状態からの押し回し操作により押し込み状態に保持される自動リセット状態とに切り替えるようにした熱動形過負荷継電器において、前記ケースに、前記操作部を覆うことが可能なスライド自在なカバーを装着し、このカバーには、前記リセット棒の頭部が通過する長穴形状のリセット棒通過窓が長軸方向を前記カバーのスライド方向に向けて形成されており、前記手動リセット状態及び前記自動リセット状態では、前記操作部を覆う方向に前記カバーをスライドさせることで前記リセット棒を前記リセット棒通過窓の長軸方向の一方側に位置させるとともに、前記自動リセット状態では、前記リセット棒の外周に形成した棒係止部と、前記リセット棒通過窓の長軸方向の一方側の周縁に形成した窓係止部とが係合することで、前記リセット棒の押し込み状態が保持されるようにした。
【００１３】
この発明によると、ケースに装着したカバーをスライドさせるだけで、リセット棒の自動リセット状態への切り替え操作を何度も行なうことができるとともに、自動リセット状態ではカバーによりリセット棒の押し込み状態が保持されるので、手動リセット状態と自動リセット状態の誤操作を確実に防止することができる。
また、本発明に係る熱動形過負荷継電器は、前記リセット棒の外周の前記棒係止部と異なる周方向位置に棒ガイド部が形成されており、前記手動リセット状態では、前記リセット棒の前記棒ガイド部が前記リセット棒通過窓の窓係止部に係合し、これら棒ガイド部及び窓係止部にガイドされながら前記リセット棒が押し込まれるようにした。
【００１４】
この発明によると、手動リセット状態のリセット棒の押し込み動作をスムーズに行なうことができる。
また、本発明に係る熱動形過負荷継電器は、前記操作部は、前記釈放レバーに係合して整定電流の調整を行なう調整ダイヤルを備え、前記カバーは、前記調整ダイヤルの調整部に対応した大きさのダイヤル窓を形成しており、前記リセット棒が前記リセット棒通過窓の長軸方向の他方側に位置するように前記カバーをスライドさせると、前記ダイヤル窓が前記調整ダイヤルに対面し、前記手動リセット状態及び前記自動リセット状態では、スライドした前記カバーにより前記調整部が覆われるようにした。
【００１５】
この発明によると、リセット棒が手動リセット状態及び前記自動リセット状態に切り替わっているときには、カバーが調整ダイヤルの調整部を覆って整定電流の調整作業を不要としているので、熱動形過負荷継電器の誤操作を防止することができる。
また、本発明に係る熱動形過負荷継電器は、前記リセット棒の近傍に、前記接点反転機構を手動で反転させ、且つ当該接点反転機構の動作を確認できる動作表示・手動トリップ操作窓を形成し、前記リセット棒が前記リセット棒通過窓の長軸方向の他方側に位置するように前記カバーをスライドさせると、当該カバーは前記動作表示・手動トリップ操作窓を覆わず、前記手動リセット状態及び前記自動リセット状態では、スライドした前記カバーにより前記動作表示・手動トリップ操作窓が覆われるようにした。
【００１６】
この発明によると、リセット棒が手動リセット状態及び自動リセット状態に切り替わっているときには、カバーが動作表示・手動トリップ操作窓を覆って手動トリップの操作を不可能としているので、熱動形過負荷継電器の誤操作を防止することができる。
さらに、本発明に係る熱動形過負荷継電器は、カバーを透明な部材で形成されている。
この発明によると、操作部の一部がカバーで覆われていて、接点反転機構の現在の動作状態を目視で確認することができる。
【発明の効果】
【００１７】
本発明に係る熱動形過負荷継電器によれば、ケースに装着したカバーをスライドさせるだけで、リセット棒の自動リセット状態への切り替え操作を何度も行なうことができるとともに、自動リセット状態ではカバーによりリセット棒の押し込み状態が保持されるので、手動リセット状態と自動リセット状態の誤操作を確実に防止することができる。
【図面の簡単な説明】
【００１８】
【図１】熱動形過負荷継電器の外観を示す図である。
【図２】図１のＡ−Ａ方向から熱動形過負荷継電器の内部を示した要部断面図である。
【図３】熱動形過負荷継電器の調整機構を分解した図である。
【図４】調整ダイヤルに接触する調整機構を示した図である。
【図５】熱動形過負荷継電器の接点反転機構を示した図である。
【図６】（ａ）は初期状態の接点反転機構及び常開接点（ａ接点）を示す図、（ｂ）はトリップ状態の接点反転機構を示す図である。
【図７】（ａ）は初期状態の接点反転機構及び常閉接点（ｂ接点）を示す図、（ｂ）はトリップ状態の接点反転機構を示す図である。
【図８】リセット棒の形状を示す斜視図である。
【図９】ケースにスライド自在に装着されるカバーの形状を示す図である。
【図１０】整定電流の調整のための調整ダイヤルの操作及び手動トリップの操作が可能となるようにカバーが位置している状態を示す図である。
【図１１】リセット棒の手動リセット状態を示す図である。
【図１２】リセット棒の自動リセット状態への切り替え途中を示す図である。
【図１３】リセット棒の自動リセット状態を示す図である。
【図１４】従来の熱動形過負荷継電器の要部の初期状態を示す図である。
【図１５】従来の熱動形過負荷継電器の開閉機構を示す図である。
【発明を実施するための形態】
【００１９】
以下、本発明を実施するための最良の形態（以下、実施形態という。）を、図面を参照しながら詳細に説明する。なお、図１３及び図１４に示した構成と同一構成部材には、同一符号を付してその説明を省略する。
図１から図１２は、本発明に係る熱動形過負荷継電器の１実施形態を示すものであり、図１は熱動形過負荷継電器の外観を示す図、図２は図１のＡ−Ａ方向から熱動形過負荷継電器の内部を示した要部断面図、図３は熱動形過負荷継電器の調整機構を分解した図、図４は調整ダイヤルに接触する調整機構を示した図、図５は熱動形過負荷継電器の接点反転機構を示した図、図６（ａ）は初期状態の接点反転機構及び常開接点（ａ接点）を示す図、図６（ｂ）はトリップ状態の接点反転機構を示す図、図７（ａ）は初期状態の接点反転機構及び常閉接点（ｂ接点）を示す図、図７（ｂ）はトリップ状態の接点反転機構を示す図、図８はリセット棒の形状を示す図、図９は絶縁ケースにスライド自在に装着されるスライドカバーの形状を示す図、図１０は整定電流の調整のための調整ダイヤルの操作及び手動トリップの操作が可能となるようにカバーが位置している状態を示す図、図１１はリセット棒の手動リセット状態を示す図、図１２はリセット棒の自動リセット状態への切り替え途中を示す図、図１３はリセット棒の自動リセット状態を示す図である。
【００２０】
図１に示すように、本実施形態の熱動形過負荷継電器は、絶縁ケース１の上面に、調整ダイヤル１１の調整部１１ｂと、後述する接点反転機構をリセット操作するリセット棒４３と、接点反転機構の動作表示・手動トリップ操作窓４４とからなる操作部４５が設けられているとともに、これら操作部４５の操作に応じてスライド移動するスライドカバー４６が装着されている。
【００２１】
図２に示すように、絶縁ケース１内には、主バイメタル２の自由端に係合したシフタ３の変位に従動する調整機構２０と、調整機構２０の動作により接点が切り替わる接点反転機構２１とが配置されている。
調整機構２０は、調整リンク２２と、この調整リンクに回動自在に支持された釈放レバー２３と、この釈放レバー２３に固定され、シフタ３に係合する温度補償バイメタル２４とを備えている。
【００２２】
調整リンク２２は、図３に示すように、釈放レバー２３を支持するリンク支持部２５と、リンク支持部２５の一側から下方に延在している脚部２６とで構成されている。
リンク支持部２５は、上部に軸受穴２５ａ１が形成され、互いに対向している一対の対向板２５ａと、これら１対の対向板２５ａの間を連結し、開口部２５ｂを形成した連結板２５ｃとを備えている。脚部２６は一対の対向板２５ａの一方から下方に延在しており、その下部に軸受穴２６ａが形成されている。
【００２３】
そして、図２に示すように、絶縁ケース１の下部側の内壁には、支軸２７が絶縁ケース１内に突出して設けられており、この支軸２７の縮径された先端部に脚部２６の軸受穴２６ａを挿入することで、調整リンク２２全体が、支軸２７を中心として回動自在に絶縁ケース１に支持される。
【００２４】
釈放レバー２３は、図３に示すように、基板２３ａと、基板２３ａの両端から同一方向に略同一の角度で折曲された一対の折曲板２３ｂ，２３ｃとを備えている。そして、一方の折曲板２３ｂ側に、調整リンク２２の一対の軸受穴２５ａ１に挿入される一対の回動軸（レバー被支持部）２３ｄ，２３ｅが形成されている。また、これら回動軸２３ｄ，２３ｅを挟んで一方側の折曲板２３ｂの端部に反転ばね押圧部２３ｆが形成されており、他方側の折曲板２３ｃにカム接触部２３ｇが形成され、折曲板２３ｂ，２３ｃが折曲されている方向に対して逆側の基板２３ａの裏面に、温度補償バイメタル２４の端部をかしめて固定するかしめ固定部３１が形成されている。
【００２５】
接点反転機構２１は、図５及び図６（ａ）に示すように、絶縁ケース１内に配置した反転機構支持部３２と、この反転機構支持部３２の近傍に配置され、絶縁ケース１の内壁に設けた支軸３３に回動自在に支持された連動板３４と、反転機構支持部３２に当接した下部３５ａを支点として上部３５ｂが揺動自在に配置されている可動板３５と、可動板３５の上部３５ｂ側に設けた係合穴３５ｃ及び下部３５ａの下方位置である反転機構支持部３２のばね支持部３２ａの間に張架された引張りコイルばねからなる反転ばね３６とを備えている。
【００２６】
また、図６（ａ）に示すように、連動板３４には、可動板３５の反転動作、復帰動作とともに連動板３４を支軸３３回りに回動させる第１係合ピン３９ａ及び第２係合ピン３９ｂが、可動板３５に係合可能に設けられている。また、反転機構支持部３２には、常開接点（ａ接点）側板ばね３７が自由端を上方に延在した状態で並設されており、この板バネ３７の自由端側にａ接点３８の固定接点３８ａが固定され、可動板３５の上部３５ｂに、固定接点３８ａに接続するａ接点３８の可動接点３８ｂが固定されている。
【００２７】
また、図７（ａ）に示すように、連動板３４を間に挟んでａ接点３８に対する逆側の位置に、常閉接点（ｂ接点）側板ばね４０が自由端を上方に延在した状態で配置されているとともに、この板ばね４０に対向した状態で接点支持板４１が配置されている。板バネ４０は、自由端が連動板３４の一部に係合しており、連動板３４の回動とともに同一方向に回動する。そして、板バネ４０の自由端側にｂ接点４２の可動接点４２ｂが固定され、接点支持板４１に、可動接点４２ｂに接続するｂ接点４２の固定接点４２ａが固定されている。
【００２８】
リセット棒４３は、図８に示すように、頭部上面に、リセット棒４３を回すマイナスドライバなどの工具を挿入する溝穴４３ａが形成され、頭部近くの周面に、スライドカバー４６に係合するロック用凹部４３ｂと、このロック用凹部４３ｂに対して周方向に略９０°離間した位置に形成され、スライドカバー４６に係合する軸方向に長尺なガイド用凹部４３ｄが形成されている。また、このリセット棒４３の他端（頭部に対して軸方向の逆側の端部）側の周面には、頭部に向けて徐々に拡径したリセット駒４３ｃが略９０°の範囲に形成されている。また、頭部とリセット駒４３ｃとの間に形成されている首部には、ガイド用凹部４３ｄを形成した側と同一方向に凸部４３ｅが形成されている。
【００２９】
リセット棒４３は、図２に示すように、絶縁ケース１内の上部に軸方向が上下方向を向くように配置され、下端側の外周に装着した圧縮スプリングからなる復帰スプリング（不図示）により上方に付勢され、頭部が絶縁ケース１の上面から突出している。ここで、図２のように配置したリセット棒４３の凸部４３ｅには、絶縁ケース１内に設けた回転規制部１ａ，１ｂが両側から対向しており、頭部の略全域が絶縁ケース１の上面から突出しているリセット棒４３を回転しようとしても、回転規制部１ａ，１ｂが凸部４３ｅに当接することで、リセット棒４３の回転が規制されるようになっている。また、図２の破線で示すように、頭部の略全域が絶縁ケース１内に位置するようにリセット棒４３を押し込むと、下方に移動した凸部４３ｅの両側には回転規制部１ａ，１ｂが存在せず、リセット棒４３の回転が可能となる。そして、リセット棒４３のリセット駒４３ｃは、図６（ｂ）のａ接点側板ばね３７に接触することでトリップ状態となっている可動板３５を初期位置（定常状態）に戻す。
【００３０】
図５に戻って、連動板３４の上端にはトリップ操作杆３４ａが形成されている。このトリップ操作杆３４ａは、連動板３４が初期状態のときには、絶縁ケース１の上面に設けた動作表示・手動トリップ操作窓４４（図１参照）から臨むことができる。そして、動作表示・手動トリップ操作窓４４から挿入したドライバなどの工具をトリップ操作杆３４ａに係合し、連動板３４を介して可動板３５をトリップ状態となる方向に回動させることができる。
【００３１】
操作部４５（調整ダイヤル１１の調整部１１ｂ、リセット棒４３及び動作表示・手動トリップ操作窓４４）の操作に応じてスライド移動するスライドカバー４６は透明な樹脂部材であり、図９（ａ），（ｂ）に示すように、リセット棒通過窓４６ａと、調整ダイヤル操作窓４６ｂとが設けられているとともに、絶縁ケース１の上部に設けたレール（不図示）に摺動自在に係合するスライド案内部４６ｃ，４６ｄとを備えている。
【００３２】
リセット棒通過窓４６ａは、スライド案内部４６ｃ，４６ｄが延在する方向に長軸を一致させた長穴形状とされており、その長軸方向の一端側の開口周縁には、リセット棒係合突起４６ｅが形成されている。
【００３３】
次に、本実施形態の熱動形過負荷継電器の動作について説明する。
先ず、リセット棒４３を手動リセット状態にした場合の熱動形過負荷継電器の動作について説明する。
図１０に示すように、リセット棒通過窓４６ａのリセット棒係合突起４６ｅから最も離間した長軸方向の他端側からリセット棒４３が突出するように、スライドカバー４６を配置する。なお、リセット棒４３は、ガイド用凹部４３ｄがリセット棒係合突起４６ｅに対向する向きに設定されている。
【００３４】
このようにすると、スライドカバー４６の調整ダイヤル操作窓４６ｂに、調整ダイヤル１１の調整部１１ｂが対応しているので、調整ダイヤル操作窓４６ｂから挿入したドライバなどの工具で調整ダイヤル１１の調整部１１ｂを回転して釈放レバー２３の回動角度を変更して整定電流の調整を行なうことができる。
【００３５】
また、スライドカバー４６は、動作表示・手動トリップ操作窓４４を覆っていないので、この動作表示・手動トリップ操作窓４４から挿入したドライバなどの工具をトリップ操作杆３４ａに係合し、熱動形過負荷継電器を試験的に手動トリップ状態とすることができる。すなわち、工具をトリップ操作杆３４ａに係合して、図６（ａ）の初期状態の連動板３４を支軸３３回りに時計回りに回動する。この連動板３４の回動により可動板３５に係合する第２係合ピン３９ｂが、連動板３４をトリップ状態となる方向に回動させ、ａ接点３８の固定接点３８ａ及び可動接点３８ｂが接続する。また、図７（ａ）の初期状態の連動板３４は支軸３３回りに反時計回りに回動するので、ｂ接点４２の固定接点４２ａ及び可動接点４２ｂが離間する。
【００３６】
次いで、図１１に示すように、リセット棒４３に、リセット棒通過窓４６ａの長軸方向のリセット棒係合突起４６ｅを形成した一端側が近づくようにスライドカバー４６をスライド移動させる。これにより、リセット棒４３のガイド用凹部４３ｄに、リセット棒係合突起４６ｅが嵌まり込む。これにより、リセット棒４３が手動リセット状態となる。
このように、ガイド用凹部４３ｄにリセット棒係合突起４６ｅを嵌め込んでリセット棒４３が手動リセット状態となるようにスライドカバー４６をスライド移動すると、調整ダイヤル操作窓４６ｂが調整ダイヤル１１の調整部１１ｂに対応せず、スライドカバー４６に動作表示・手動トリップ操作窓４４が覆われる。したがって、手動リセット状態では、調整ダイヤル１１による整定電流の調整及び手動トリップの操作が不可能となる。
【００３７】
そして、本実施形態の熱動形過負荷継電器に過負荷電流が流れると、図２に示すように、過負荷電流によってヒータ２ａが発熱して主バイメタル２が湾曲し、その自由端の変位によってシフタ３が図２の符号Ｑの矢印方向に変位する。変位したシフタ３によって温度補償バイメタル２４の自由端が押圧されると、温度補償バイメタル２４に一体化された釈放レバー２３が、調整リンク２２に支持された回動軸２３ｄ，２３ｅ回りに時計方向に回動していき、釈放レバー２３の反転ばね押圧部２３ｆが反転ばね３６を押圧する。
【００３８】
そして、釈放レバー２３の時計方向の回動が進行し、反転ばね押圧部２３ｆの押圧力が反転ばね３６のばね付勢力を上回ると、可動板３５が下部３５ａを支点として反転動作を行なう。また、この可動板３５の反転動作とともに、第１係合ピン３９ａを介して可動板３５の反転動作が伝達された連動板３４も、支軸３３回りに回動する（図６（ｂ）、図７（ｂ）参照）。
【００３９】
これにより、図６（ａ）の開状態となっていたａ接点３８の固定接点３８ａ及び可動接点３８ｂが接続し、図７（ａ）の閉状態となっていたｂ接点４２の固定接点４２ａ及び可動接点４２ｂが離間し、これらａ接点３８及びｂ接点４２の情報を基に、例えば主回路に接続した電磁接触器（不図示）を開極動作させて過負荷電流を遮断する。
そして、主回路電流の遮断後、主バイメタル２の湾曲が十分に戻ったところで、手動リセット状態としたリセット棒４３を、図１１に示すように矢印の下方に押し込んでいく。この際、リセット棒４３は、ガイド用凹部４３ｄがリセット棒通過窓４６ａのリセット棒係合突起４６ｅに係合してガイドされているので、押し込み動作がスムーズとなる。
【００４０】
このリセット棒４３の手動リセット動作により、リセット駒４３ｃが、図６（ｂ）のトリップ状態となっている可動板３５に対してａ接点側板ばね３７を介してリセット荷重を作用し、可動板３５を初期状態の位置に戻すとともに、第２係合ピン３９ｂを介して連動板３４を初期状態（定常状態）の位置に戻すことで、熱動形過負荷継電器をリセットする。
【００４１】
一方、手動リセット状態のリセット棒４３を自動リセット状態に切り替えるには、図１２に示すように、リセット棒４３の溝穴４３ａにマイナスドライバなどの工具の先端を挿入し、リセット棒４３を押し込む。この動作により、リセット棒４３に形成した凸部４３ｅの両側には回転規制部１ａ，１ｂが存在しないので（図２参照）、リセット棒４３を回転させることができる。そして、リセット棒４３を時計方向に略９０度回転させて、ロック用凹部４３ｂをリセット棒通過窓４６ａのリセット棒係合突起４６ｅに対向させる。
【００４２】
次いで、図１３に示すように、リセット棒４３のロック用凹部４３ｂに、リセット棒通過窓４６ａのリセット棒係合突起４６ｅが嵌まり込むようにスライドカバー４６をスライド移動させる。これにより、リセット棒４３は、頭部の上部がスライドカバー４６に突出しながら押し込み状態に保持され、リセット棒４３が自動リセット状態となる。
【００４３】
このように、リセット棒４３が自動リセット状態となるようにスライドカバー４６をスライド移動すると、調整ダイヤル操作窓４６ｂが調整ダイヤル１１の調整部１１ｂに対応せず、スライドカバー４６に動作表示・手動トリップ操作窓４４が覆われる。したがって、手動リセット状態と同様に、自動リセット状態においても、調整ダイヤル１１による整定電流の調整及び手動トリップの操作が不可能となる。
【００４４】
この状態において過負荷電流が流れると、主バイメタル２の湾曲が、シフタ３、温度補償バイメタル２４を介して釈放レバー２３の回動として伝達されていき、釈放レバー２３の反転ばね押圧部２９が反転ばね３６を押圧する。反転ばね３６は、リセット棒４３のリセット駒４３ｃの大径部４３ｃ１が当接している連動板３４の第１係合ピン３９ａに反転動作が規制され、ａ接点３８の固定接点３８ａ及び可動接点３８ｂの接点間距離が小さく、ｂ接点４２の固定接点４２ａ及び可動接点４２ｂの接点間距離も小さい状態となる。
【００４５】
そして、リセット棒４３を自動リセット状態に切り替えているときには、過負荷電流が流れていても反転ばね３６は反転動作を完了せず、主バイメタル２が冷却すると、反転ばね３６は自動的に初期状態に復帰する。
【００４６】
次に、本実施形態の熱動形過負荷継電器の作用効果について説明する。
リセット棒４３を手動リセット状態とする場合には、スライドカバー４６に長穴形状として形成したリセット棒通過窓４６ａの長軸方向の他方側でリセット棒４３を突出させるとともに、リセット棒４３を自動リセット状態に切り替える場合には、リセット棒４３を押し回してリセット棒４３の周面に形成したロック用凹部４３ｂを、リセット棒通過窓４６ａの長軸方向の一方側周縁に形成したリセット棒係合突起４６ｅに対向させ、ロック用凹部４３ｂ及びリセット棒係合突起４６ｅが係合するようにスライドカバー４６をスライド移動させことでリセット棒４３の押し込み状態を保持しているので、リセット棒４３を手動リセット状態から自動リセット状態に切り替える操作を簡単に行なうことができる。
【００４７】
また、スライドカバー４６をスライド移動させるだけで、リセット棒４３の手動リセット状態と自動リセット状態の切り替え操作を何度も行なうことができ、リセット棒４３が押し込まれていない状態、或いはリセット棒４３が押し込み保持されている状態を確認することができるので、手動リセット状態と自動リセット状態の誤操作を確実に防止することができる。
【００４８】
また、手動リセット状態としたリセット棒４３を押し込んでいくと、リセット棒４３は、ガイド用凹部４３ｄがリセット棒通過窓４６ａのリセット棒係合突起４６ｅに係合してガイドされているので、リセット棒４３の押し込み動作をスムーズに行なうことができる。
また、リセット棒４３が自動リセット状態に切り替わっているときには、スライドカバー４６が調整ダイヤル１１の調整部１１ｂを覆い、且つ、動作表示・手動トリップ操作窓４４も覆い、調整ダイヤル１１による整定電流の調整作業及び手動トリップの操作を不可能としているので、熱動形過負荷継電器の誤操作を防止することができる。
【００４９】
さらに、スライドカバー４６は透明部材で形成されているので、調整ダイヤル１１の調整部１１ｂが覆われていても、調整部１１ｂの調整値を確認することができるとともに、動作表示・手動トリップ操作窓４４が覆われていても、接点反転機構２１（連動板３４）の現在の動作状態を確認することができる。
【符号の説明】
【００５０】
１…絶縁ケース（ケース）、１ａ，１ｂ…回転規制部、２…主バイメタル、２ａ…ヒータ、３…シフタ、１１…調整ダイヤル、１１ａ…偏心カム、１１ｂ…調整部、２０…調整機構、２１…接点反転機構、２２…調整リンク、２３…釈放レバー、２３ａ…基板、２３ｂ，２３ｃ…折曲板、２３ｄ，２３ｅ…回動軸、２３ｆ…反転ばね押圧部、２３ｇ…カム接触部、２４…温度補償バイメタル、２５…リンク支持部、２５ａ１…軸受穴、２５ａ…対向板、２５ｂ…開口部、２５ｃ…連結板、２６…脚部、２６ａ…軸受穴、２７…支軸、３１…かしめ固定部、３２…反転機構支持部、３２ａ…ばね支持部、３３…支軸、３４…連動板、３４ａ…トリップ操作杆、３５…可動板、３５ａ…可動板の下部、３５ｂ…可動板の上部、３５ｃ…係合穴、３６…反転ばね、３７…ａ接点側板ばね、３８…ａ接点、３８ａ…ａ接点の固定接点、３８ｂ…ａ接点の可動接点、３９ａ…第１係合ピン、３９ｂ…第２係合ピン、４０…ｂ接点側板ばね、４１…接点支持板、４２…ｂ接点、４２ｂ…ｂ接点の可動接点、４２ａ…ｂ接点の固定接点、４３…リセット棒、４３ａ…溝穴、４３ｂ…ロック用凹部（棒係止部）、４３ｃ…リセット駒、４３ｄ…ガイド用凹部（棒ガイド部）、４３ｅ…凸部、４３ｃ１…大径部、４４…動作表示・手動トリップ操作窓、４５…操作部、４６…スライドカバー（カバー）、４６ａ…リセット棒通過窓、４６ｂ…調整ダイヤル操作窓（ダイヤル窓）、４６ｃ，４６ｄ…スライド案内部、４６ｅ…ロック用突起（窓係止部）
【図１】
2010232055.tif 000003
【図２】
2010232055.tif 000004
【図３】
2010232055.tif 000005
【図４】
2010232055.tif 000006
【図５】
2010232055.tif 000007
【図６】
2010232055.tif 000008
【図７】
2010232055.tif 000009
【図８】
2010232055.tif 000010
【図９】
2010232055.tif 000011
【図１０】
2010232055.tif 000012
【図１１】
2010232055.tif 000013
【図１２】
2010232055.tif 000014
【図１３】
2010232055.tif 000015
【図１４】
2010232055.tif 000016
【図１５】
2010232055.tif 000017